(57)【特許請求の範囲】
【請求項１】
クロマトグラフィー試験片の上面における一端の側から検体が供給された前記クロマトグラフィー試験片上における分析対象物の状態を検知するクロマトグラフィー分析装置であり、
光源と、
前記光源から出射された光を前記クロマトグラフィー試験片に導くように照射光を出射する照射光学系と、
光電変換を行う受光センサと、
前記照射光に起因して前記クロマトグラフィー試験片で生じる検出対象光を前記受光センサに導く検出光学系と、
前記照射光学系若しくは前記検出光学系における少なくとも１つの光学素子、または前記クロマトグラフィー試験片を走査対象物として走査方向に走査させる走査手段と、
前記受光センサからの出力信号に基づいて分析対象物の状態を特定するとともに、少なくとも前記走査手段を制御する演算処理部とを備え、
前記クロマトグラフィー試験片は、
前記走査方向に長尺で、前記一端の側に供給される検体を他端の側に向かって伝わらせるようになっており、
分析対象物としての抗原と、色素標識抗体との複合体を結合させる帯状のテストラインと、
前記色素標識抗体を結合させる帯状であって前記テストラインよりも前記他端の側に所定間隔を空けて配設されたコントロールラインとを、
前記走査方向と交差する所定の検知ライン方向にそれぞれ延在した状態でシート上に有しており、
前記演算処理部は、
前記検体が供給されて前記コントロールラインに前記色素標識抗体が結合してから、
前記照射光による前記クロマトグラフィー試験片の被照射領域が当該クロマトグラフィー試験片における前記他端の側から前記一端の側に向かって移動することで前記コントロールラインの位置を検出するために前記走査対象物を走査させる予備走査を前記走査手段に行わせ、
検出されたコントロールラインの位置に基づいて前記テストラインの位置を算出した後、
前記テストラインにおける分析対象物の状態を検知するために前記走査対象物を走査させる本走査を前記走査手段に行わせることを特徴とするクロマトグラフィー分析装置。
【請求項２】
請求項１に記載のクロマトグラフィー分析装置において、
前記演算処理部は、
前記照射光による前記クロマトグラフィー試験片の被照射領域が当該クロマトグラフィー試験片における前記一端の側から前記他端の側に向かって移動するよう、前記走査手段に前記本走査を行わせることを特徴とするクロマトグラフィー分析装置。
【請求項３】
請求項１に記載のクロマトグラフィー分析装置において、
前記演算処理部は、
前記照射光による前記クロマトグラフィー試験片の被照射領域が当該クロマトグラフィー試験片における前記他端の側から前記一端の側に向かって移動するよう、前記走査手段に前記本走査を行わせることを特徴とするクロマトグラフィー分析装置。
【請求項４】
請求項１〜３の何れか一項に記載のクロマトグラフィー分析装置において、
前記照射光による前記クロマトグラフィー試験片上での照射スポットの前記走査方向でのサイズは、
前記テストラインと、前記コントロールラインとの間隔未満であり、かつ、
これらテストライン及びコントロールラインの前記走査方向の幅の半分よりも大きいことを特徴とするクロマトグラフィー分析装置。
【請求項５】
請求項４記載のクロマトグラフィー分析装置において、
前記クロマトグラフィー試験片は、
前記テストラインを複数有しており、
前記照射光による前記クロマトグラフィー試験片上での照射スポットの前記走査方向でのサイズは、
前記複数のテストラインの間隔未満であることを特徴とするクロマトグラフィー分析装置。
【請求項６】
クロマトグラフィー試験片の上面における一端の側から検体を供給された前記クロマトグラフィー試験片上における分析対象物の状態を検知するクロマトグラフィー分析方法において、
クロマトグラフィー分析装置として、
光源と、
前記光源から出射された光を前記クロマトグラフィー試験片に導くように照射光を出射する照射光学系と、
光電変換を行う受光センサと、
前記照射光に起因して前記クロマトグラフィー試験片で生じる検出対象光を前記受光センサに導く検出光学系と、
前記照射光学系若しくは前記検出光学系における少なくとも１つの光学素子、または前記クロマトグラフィー試験片を走査対象物として走査方向に走査させる走査手段と、
前記受光センサからの出力信号に基づいて分析対象物の状態を特定する演算処理部とを備えるものを用いるとともに、
前記クロマトグラフィー試験片として、
前記走査方向に長尺で、前記一端の側に供給される検体を他端の側に向かって伝わらせるようになっており、
分析対象物としての抗原と、色素標識抗体との複合体を結合させる帯状のテストラインと、
前記色素標識抗体を結合させる帯状であって前記テストラインよりも前記他端の側に所定間隔を空けて配設されたコントロールラインとを、
前記走査方向と交差する所定の検知ライン方向にそれぞれ延在した状態でシート上に有するものを用い、
前記検体が供給されて前記コントロールラインに前記色素標識抗体が結合してから、
前記照射光による前記クロマトグラフィー試験片の被照射領域が当該クロマトグラフィー試験片における前記他端の側から前記一端の側に向かって移動することで前記コントロールラインの位置を検出するために前記走査対象物を走査させる予備走査を前記走査手段に行わせ、
検出されたコントロールラインの位置に基づいて前記テストラインの位置を算出した後、
前記テストラインにおける分析対象物の状態を検知するために前記走査対象物を走査させる本走査を前記走査手段に行わせることを特徴とするクロマトグラフィー分析方法。
【請求項７】
請求項６に記載のクロマトグラフィー分析方法において、
前記照射光による前記クロマトグラフィー試験片の被照射領域が当該クロマトグラフィー試験片における前記一端の側から前記他端の側に向かって移動するよう、前記走査手段に前記本走査を行わせることを特徴とするクロマトグラフィー分析方法。
【請求項８】
請求項６に記載のクロマトグラフィー分析方法において、
前記照射光による前記クロマトグラフィー試験片の被照射領域が当該クロマトグラフィー試験片における前記他端の側から前記一端の側に向かって移動するよう、前記走査手段に前記本走査を行わせることを特徴とするクロマトグラフィー分析方法。
【請求項９】
請求項６〜８の何れか一項に記載のクロマトグラフィー分析方法において、
前記照射光による前記クロマトグラフィー試験片上での照射スポットの前記走査方向でのサイズを、
前記テストラインと、前記コントロールラインとの間隔未満、かつ、
これらテストライン及びコントロールラインの前記走査方向の幅の半分よりも大きくすることを特徴とするクロマトグラフィー分析方法。
【請求項１０】
請求項９記載のクロマトグラフィー分析方法において、
前記クロマトグラフィー試験片として、
前記テストラインを複数有するものを用い、
前記照射光による前記クロマトグラフィー試験片上での照射スポットの前記走査方向でのサイズを、
前記複数のテストラインの間隔未満とすることを特徴とするクロマトグラフィー分析方法。
【発明の詳細な説明】
【技術分野】
【０００１】
本発明は、クロマトグラフィー分析装置及びクロマトグラフィー分析方法に関するものである。
【背景技術】
【０００２】
従来、抗原抗体反応の特異性を利用して抗原を定性的あるいは定量的に検出する技術分野において、板状のクロマトグラフィー試験片が用いられている。このクロマトグラフィー試験片には、上方に開口したケースと、当該ケース内に収容されたメンブレンシートとが具備されている。そして、メンブレンシートには、検体中の抗原（分析対象物）と色素標識抗体との免疫複合体を特異的に捕捉する抗原特異的抗体が固定化されたテストライン(検出ゾーン）と、色素標識抗体を特異的に捕捉する標識抗体特異的抗体が固定化されたコントロールライン（参照ゾーン）とが間隔をおいて短冊状に設けられている。
【０００３】
このようなクロマトグラフィー試験片においては、一端に液状の検体が滴下されると、色素標識抗体と抗原との結合が促された後、毛細管現象により免疫複合体と色素標識抗体がクロマトグラフィー試験片上を他端に向かって移動する結果、テストライン及びコントロールラインでそれぞれ免疫複合体または色素標識抗体が捕捉されるので、両ラインの呈色を光学的に検出することによって、分析対象物が定性的あるいは定量的に検出される。
【０００４】
ところで、両ラインの呈色を検出するにあたり、特に色素標識に蛍光材料を使用する場合には、励起光をカットして蛍光を測定する必要があるため、蛍光のみを通過させるバンドパスフィルターを用いる必要がある。但し、バンドパスフィルターには角度依存性があり、広いエリアの全体での呈色検出を一遍に行うことができないため、バンドパスフィルターの正面にクロマトグラフィー試験片の全面を走査させる必要が生じてしまい、時間が長くかかって効率が悪い。
【０００５】
この点、テストラインの検出時間を短縮する手法としては、例えば、以下のような３つの手法が考えられる。
即ち、１つ目の手法は、クロマトグラフィー試験片のケースに位置決め用のマークを設けておき、このマークの位置に基づいてテストラインの位置を算出する手法である。
同様に、２つ目の手法は、クロマトグラフィー試験片のメンブレンシートに位置決め用のマークを設けておき、このマークの位置に基づいてテストラインの位置を算出する手法である。なお、これら１つ目、２つ目のような手法は他の技術分野でも用いられており、例えばＤＮＡチップに対して走査を行う技術分野においては、検査したい位置を検知するための発光点や突起物をチップに設ける技術が提案されている（例えば、特許文献１参照）。
そして、３つ目の手法は、テストラインを検出するための走査を行い、検出された時点で走査を終了する手法である。
【先行技術文献】
【特許文献】
【０００６】
【特許文献１】特開２００６−３３７２４５号公報
【発明の概要】
【発明が解決しようとする課題】
【０００７】
しかしながら、上記１つ目の手法を用いる場合には、一般にクロマトグラフィー試験片ではケースとメンブレンシートとの位置精度が悪いことから、位置決め用のマークとテストラインとが１ｍｍ以上ずれることがあり、テストラインの位置を正確に算出することができない。
また、上記２つ目の手法を用いる場合には、位置決め用のマークをメンブレンシートに設けることでメンブレンシート内での毛細管現象や抗原抗体反応が阻害されてしまうという問題がある。
また、上記３つ目の手法を用いる場合には、分析対象物が存在しない場合にはテストラインが呈色しないため、結局メンブレンシートの全面を走査することになってしまう。
【０００８】
そこで、本発明は以上のような事情に鑑みてなされたものであり、テストラインの位置を短時間で正確に検出することのできるクロマトグラフィー分析装置及びクロマトグラフィー分析方法を提供することを目的とするものである。
【課題を解決するための手段】
【０００９】
上記課題を解決するため、本発明の第１の側面によれば、
クロマトグラフィー試験片の上面における一端の側から検体が供給された前記クロマトグラフィー試験片上における分析対象物の状態を検知するクロマトグラフィー分析装置であり、
光源と、
前記光源から出射された光を前記クロマトグラフィー試験片に導くように照射光を出射する照射光学系と、
光電変換を行う受光センサと、
前記照射光に起因して前記クロマトグラフィー試験片で生じる検出対象光を前記受光センサに導く検出光学系と、
前記照射光学系若しくは前記検出光学系における少なくとも１つの光学素子、または前記クロマトグラフィー試験片を走査対象物として走査方向に走査させる走査手段と、
前記受光センサからの出力信号に基づいて分析対象物の状態を特定するとともに、少なくとも前記走査手段を制御する演算処理部とを備え、
前記クロマトグラフィー試験片は、
前記走査方向に長尺で、前記一端の側に供給される検体を他端の側に向かって伝わらせるようになっており、
分析対象物としての抗原と、色素標識抗体との複合体を結合させる帯状のテストラインと、
前記色素標識抗体を結合させる帯状であって前記テストラインよりも前記他端の側に所定間隔を空けて配設されたコントロールラインとを、
前記走査方向と交差する所定の検知ライン方向にそれぞれ延在した状態でシート上に有しており、
前記演算処理部は、
前記検体が供給されて前記コントロールラインに前記色素標識抗体が結合してから、
前記照射光による前記クロマトグラフィー試験片の被照射領域が当該クロマトグラフィー試験片における前記他端の側から前記一端の側に向かって移動することで前記コントロールラインの位置を検出するために前記走査対象物を走査させる予備走査を前記走査手段に行わせ、
検出されたコントロールラインの位置に基づいて前記テストラインの位置を算出した後、
前記テストラインにおける分析対象物の状態を検知するために前記走査対象物を走査させる本走査を前記走査手段に行わせることを特徴とする。
【００１０】
また、本発明の第２の側面によれば、
クロマトグラフィー試験片の上面における一端の側から検体を供給された前記クロマトグラフィー試験片上における分析対象物の状態を検知するクロマトグラフィー分析方法において、
クロマトグラフィー分析装置として、
光源と、
前記光源から出射された光を前記クロマトグラフィー試験片に導くように照射光を出射する照射光学系と、
光電変換を行う受光センサと、
前記照射光に起因して前記クロマトグラフィー試験片で生じる検出対象光を前記受光センサに導く検出光学系と、
前記照射光学系若しくは前記検出光学系における少なくとも１つの光学素子、または前記クロマトグラフィー試験片を走査対象物として走査方向に走査させる走査手段と、
前記受光センサからの出力信号に基づいて分析対象物の状態を特定する演算処理部とを備えるものを用いるとともに、
前記クロマトグラフィー試験片として、
前記走査方向に長尺で、前記一端の側に供給される検体を他端の側に向かって伝わらせるようになっており、
分析対象物としての抗原と、色素標識抗体との複合体を結合させる帯状のテストラインと、
前記色素標識抗体を結合させる帯状であって前記テストラインよりも前記他端の側に所定間隔を空けて配設されたコントロールラインとを、
前記走査方向と交差する所定の検知ライン方向にそれぞれ延在した状態でシート上に有するものを用い、
前記検体が供給されて前記コントロールラインに前記色素標識抗体が結合してから、
前記照射光による前記クロマトグラフィー試験片の被照射領域が当該クロマトグラフィー試験片における前記他端の側から前記一端の側に向かって移動することで前記コントロールラインの位置を検出するために前記走査対象物を走査させる予備走査を前記走査手段に行わせ、
検出されたコントロールラインの位置に基づいて前記テストラインの位置を算出した後、
前記テストラインにおける分析対象物の状態を検知するために前記走査対象物を走査させる本走査を前記走査手段に行わせることを特徴とする。
【発明の効果】
【００１１】
本発明によれば、テストラインの位置を短時間で正確に検出することができる。
【図面の簡単な説明】
【００１２】
【図１】クロマトグラフィー試験片を示す図である。
【図２】クロマトグラフィー分析装置の外観構成を示す図である。
【図３】クロマトグラフィー分析装置の内部構成を示す図である。
【図４】分析処理を示すフローチャートである。
【図５】予備走査処理を示すフローチャートである。
【図６】本走査処理を示すフローチャートである。
【図７】クロマトグラフィー試験片の厚み方向に被照射位置が変化した場合のラインセンサでの受光の様子を示す図である。
【図８】検出光学系における像側，物側の焦点面にラインセンサ，検知対象領域が一致した状態を示す図である。
【図９】ラインセンサの短手方向における各位置での受光強度を示す図である。
【図１０】ラインセンサの長手方向と検知対象領域の検知ライン方向とが平行でない場合の配置を示す図である。
【図１１】照射光学系の変形例を示す図である。
【発明を実施するための形態】
【００１３】
以下、本発明を図示の実施の形態に基づいて説明するが、本発明は該実施の形態に限られない。なお、図中、同一あるいは同等の部分には同一の番号を付与し、重複する説明は省略する。
【００１４】
（１．クロマトグラフィー試験片）
始めに、本実施の形態におけるクロマトグラフィー試験片について、図１を用いて説明する。
【００１５】
ここで、図１（ａ）はクロマトグラフィー試験片９（以下、試験片とする）の外観構成の一例を示す斜視図であり、図１（ｂ）、（ｃ）は側面図である。
【００１６】
試験片９は、図１（ａ）に示すように、矩形板状に形成されており、後述の走査方向Ｘに長尺となっている。
この試験片９は、図１（ｂ），（ｃ）に示すように、上方に開口したケース（図示せず）内に、シート部９５を有している。
このシート部９５は、矩形状に形成されており、上面における一端部にはサンプルパッド９０が設けられ、他端部には吸収パッド９１が設けられている。
このうち、サンプルパッド９０は、液状の検体が滴下されて供給される部分である。また、吸収パッド９１は、サンプルパッド９０に滴下された検体を吸収することにより、当該検体を毛細管現象によって検体移動方向Ｋに流させる部分である。なお、本実施の形態においては、検体移動方向Ｋと走査方向Ｘとは平行となっている。
【００１７】
サンプルパッド９０に対して検体移動方向Ｋの下流側には、コンジュゲートパッド９２が配設されている。このコンジュゲートパッド９２は、検体中に含まれる分析対象物としての抗原と結合する色素標識抗体を含んでおり、サンプルパッド９０から供給される検体を検体移動方向Ｋの下流側に移動させつつ、検体内の抗原を色素標識抗体と結合させるようになっている。
【００１８】
コンジュゲートパッド９２の下面から吸収パッド９１の下面までの間には、メンブレンシート９６が延在している。このメンブレンシート９６には、分析対象物の状態を検知するための帯状の検知対象領域９３として、テストライン９３ａとコントロールライン９３ｂとが設けられている。これらテストライン９３ａ及びコントロールライン９３ｂは、検体移動方向Ｋの直交方向、つまり試験片９の幅方向（以下、検知ライン方向Ｚとする）にそれぞれ延在した状態で、所定の間隔を空けて、それぞれ所定の幅で配設されている。なお、本実施の形態においては、テストライン９３ａとコントロールライン９３ｂとの間隔は２ｍｍ程度となっており、検体移動方向Ｋにおける検知対象領域９３の長さ（幅）は１ｍｍ〜３ｍｍ程度となっている。また、テストライン９３ａとコントロールライン９３ｂとは、同一の塗布装置によってメンブレンシート９６上に形成されており、両者の位置精度は５０μｍ以内となっている。
【００１９】
このうち、テストライン９３ａは、検出ゾーンとも称される領域であり、検体中の抗原（分析対象物）と色素標識抗体との複合体を結合させるようになっている。具体的には、テストライン９３ａには、抗原（分析対象物）と色素標識抗体との免疫複合体を特異的に捕捉する抗原特異的抗体が固定化されている。なお、本実施の形態においてはテストライン９３ａは試験片９に１本のみ設けられていることとして説明するが、複数種類の抗原を検出できるよう、複数本設けられていても良い。この場合には、各テストライン９３ａの間隔は、コントロールライン９３ｂと、最もコントロールライン９３ｂに近いテストライン９３ａとの間隔と等しいことが好ましい。
【００２０】
また、コントロールライン９３ｂは、参照ゾーンとも称される領域であり、色素標識抗体を結合させるようになっている。具体的には、コントロールライン９３ｂには、色素標識抗体を特異的に捕捉する標識抗体特異的抗体が固定化されている。
【００２１】
なお、以上のような試験片９としては、従来より公知のクロマトグラフィー試験片を用いることができる。
【００２２】
（２．クロマトグラフィー分析装置）
（２−１．外観構成）
続いて、本発明に係るクロマトグラフィー分析装置の外観構成について、図２を用いて説明する。
ここで、図２はクロマトグラフィー分析装置１の外観構成の一例を示す斜視図である。
【００２３】
この図に示すように、クロマトグラフィー分析装置１は、試験片９上における分析対象物の状態を検知するものであり、挿入口１０と、スイッチ群１１と、ディスプレイ１２と、プリンタ部１３とを備えている。
【００２４】
このうち、挿入口１０は、クロマトグラフィー分析装置１に対して試験片９を挿入したり、クロマトグラフィー分析装置１内の試験片９を排出したりするための開口部である。
【００２５】
スイッチ群１１は、クロマトグラフィー分析装置１に対して各種の指示を行うための複数のスイッチを有している。具体的には、本実施の形態におけるスイッチ群１１は、起動状態への移行を指示するためのパワースイッチ１１ａと、測定の開始指示を行うための測定開始スイッチ１１ｂと、測定結果のプリントを指示するためのプリントスイッチ１１ｃと、クロマトグラフィー分析装置１内の試験片９の排出を指示するための排出スイッチ１１ｄ等とを有している。
【００２６】
ディスプレイ１２は、試験片９の分析結果など、各種の情報を表示するものであり、本実施の形態においてはＬＣＤ（Liquid Crystal Display）となっている。
【００２７】
プリンタ部１３は、試験片９の分析結果など、各種の情報をプリントアウトするものである。
【００２８】
（２−２．内部構成）
続いて、クロマトグラフィー分析装置１の内部構成について、図３を用いて説明する。
ここで、図３はクロマトグラフィー分析装置１の内部構成の一例を示す模式図である。
【００２９】
この図に示すように、クロマトグラフィー分析装置１は、光源２と、照射光学系３と、ラインセンサ４と、検出光学系５と、走査装置６と、制御部７とを備えている。
【００３０】
光源２は、光を出射するものであり、本実施の形態においては、レーザ光源となっている。このレーザ光源の波長は、使用する色素標識抗体の種類に依存するものの、630nm〜780nmの範囲であることが好ましい。
【００３１】
照射光学系３は、光源２から出射された光を試験片９に導いて、当該試験片９に対する照射光Ｓを出射する光学系であり、本実施の形態においては、レンズ３０，３２と、バンドパスフィルター３１と、アパーチャ３３とを有している。なお、本実施の形態において照射光Ｓとは、光源２から試験片９に向かって照射された光のうち、照射光学系３を通過した後、試験片９に当たるまでの部分をいう。
【００３２】
レンズ３０は、光源２から出射された光を平行光に変換してバンドパスフィルター３１に入射させるようになっている。
【００３３】
バンドパスフィルター３１は、光源２から出射された光の各周波数成分のうち、試験片９の色素標識抗体を励起して蛍光を生じさせる周波数成分のみを通過させるようになっている。なお、本実施の形態においては、波長６６０ｎｍの光によって色素標識抗体から生じる蛍光の波長は７００ｎｍ付近となっている。
【００３４】
レンズ３２は、バンドパスフィルター３１を通過した光を試験片９上に集光するようになっている。
【００３５】
アパーチャ３３は、レンズ３２から出射される収束光の周辺部分を遮ることにより、試験片９に不要な光が当たるのを防止するようになっている。
【００３６】
なお、以上の照射光学系３は、照射光Ｓを検知ライン方向Ｚ（試験片９における検知対象領域９３の延在方向）に断面の長尺な略平行光とするようになっている。
また、この照射光学系３は、試験片９の照射スポットの短尺方向（本実施の形態においては走査方向Ｘ）でのスポットサイズをd（ｍｍ）、検出光学系５の横倍率を−M（但し、M>０）、ラインセンサ４の短手方向（本実施の形態においては走査方向Ｘ）のサイズをｔ（ｍｍ）とした場合に、照射光Ｓに以下の（１）式を満足させるようになっている。
【００３７】
40>dM/t>3  …（１）
（但し、スポットサイズdは照射強度がピーク照射強度の1/e2となるサイズを表す。）
【００３８】
更に、本実施の形態においては、スポットサイズ「ｄ」（ｍｍ）は、テストライン９３ａと、コントロールライン９３ｂとの間隔未満、かつ、テストライン９３ａ及びコントロールライン９３ｂの走査方向Ｘでの幅の半分より大きくなっている。なお、試験片９にテストライン９３ａが複数設けられる場合には、スポットサイズ「ｄ」は、これらのテストライン９３ａの間隔未満でもあることが好ましい。
【００３９】
ラインセンサ４は、ライン状に配列された複数の画素によって光電変換を行う受光センサであり、所定の長手方向Ｙに延在して配設されている。このように受光センサとしてラインセンサ４を用いることにより、受光センサとしてエリアセンサやフォトダイオードを用いる場合と比較して、信号処理の制御や走査機構の構成を簡略化することができる。なお、ラインセンサ４としては、ラインＣＣＤやラインＣＭＯＳ、１次元に配列されたフォトダイオードなど、従来より公知のものを用いることができる。
【００４０】
ここで、ラインセンサ４の長手方向Ｙは検出対象光Ｔの中心軸Ｊｔの軸方向と、検知ライン方向Ｚ（試験片９における検知対象領域９３の延在方向）とを含む平面に対して略平行となっており、好ましくは検知ライン方向Ｚに対して略平行となっている。
【００４１】
検出光学系５は、照射光Ｓに起因して試験片９で生じる検出対象光Ｔをラインセンサ４に導く光学系であり、本実施の形態においては、レンズ５０，５２と、バンドパスフィルター５１とを有している。なお、本実施の形態において検出対象光Ｔとは、光源２からの出射光に起因して試験片９で発生する光のうち、検出光学系５に入射するまでの部分をいい、励起された色素標識抗体で生じる蛍光や、試験片９での反射光、散乱光を含んでいる。
【００４２】
レンズ５０は、試験片９で生じる検出対象光Ｔを平行光に変換してバンドパスフィルター５１に入射させるようになっている。
【００４３】
バンドパスフィルター５１は、検出対象光Ｔの各周波数成分うち、色素標識抗体で生じた蛍光の周波数成分のみを通過させるようになっている。
【００４４】
レンズ５２は、バンドパスフィルター５１を通過した光をラインセンサ４上に集光するようになっている。
【００４５】
なお、以上の照射光学系３、ラインセンサ４及び検出光学系５において、ラインセンサ４の長手方向Ｙと、照射光学系３から出射される照射光Ｓの中心軸Ｊｓと、検出光学系５に入射する検出対象光Ｔの中心軸Ｊｔとは、同一平面上に存在している。
【００４６】
走査装置６は、照射光学系３若しくは検出光学系５における少なくとも１つの光学素子、または試験片９を走査対象物として走査方向Ｘに走査させるものであり、本実施の形態においては、試験片９を下方から支持する板状の支持台６０と、当該支持台６０を走査方向Ｘに往復運動させるモータ６１とを有し、試験片９を走査対象物として支持台６０ごと走査方向Ｘに走査させるようになっている。ここで、モータ６１としてはステッピングモータやボイスコイルモータ、ＤＣモータなど、従来より公知のモータを用いることができる。また、本実施の形態においては、走査方向Ｘはラインセンサ４の長手方向Ｙと交差しており、好ましくは直交している。
【００４７】
また、この走査装置６は、１回の走査を複数回のステップに分けて行うようになっており、換言すれば、試験片９を走査方向Ｘに複数回移動させることによって、当該試験片９を１回走査させるようになっている。
【００４８】
制御部７は、スイッチ群１１から入力される指示に応じて所定の処理を実行し、各機能部への指示やデータの転送等を行い、クロマトグラフィー分析装置１を統括的に制御するとともに、種々の演算を行うものである。例えば、この制御部７は、ラインセンサ４からの出力信号に基づいて分析対象物の状態を特定するようになっており、本実施の形態においては、検体中での分析対象物の濃度を算出して、分析対象物の状態として特定するようになっている。但し、制御部７は分析対象物の有無を検知することとしても良いし、他の状態を検知することとしても良い。なお、図３では制御部７が光源２やラインセンサ４、モータ６１などに接続された状態を図示しているが、制御部７の接続対象はこれらに限定されるものではない。
【００４９】
続いて、クロマトグラフィー分析装置１による分析処理について、図４〜図６を参照しながら説明する。
【００５０】
まず、図４に示すように、クロマトグラフィー分析装置１に電源が接続されると（ステップＳ１）、制御部７はクロマトグラフィー分析装置１の初期設定を行った後（ステップＳ２）、パワースイッチ１１ａのＯＮ・ＯＦＦを判定する（ステップＳ３）。
【００５１】
このステップＳ３においてパワースイッチ１１ａがＯＦＦになっていると判定した場合（ステップＳ３；ＯＦＦ）には、制御部７は、スリープモードに入って操作の待機状態に入った後（ステップＳ４）、ステップＳ３に移行する。
【００５２】
また、ステップＳ３においてパワースイッチ１１ａがＯＮになっていると判定した場合（ステップＳ３；ＯＮ）には、制御部７は、通常モードに入って各種の設定値を読み出すとともに（ステップＳ５）、モータ６１などの各駆動部を初期位置に移動させる（ステップＳ６）。
【００５３】
次に、制御部７は、測定開始スイッチ１１ｂがＯＮにされるか否かを判定し（ステップＳ７）、ＯＮにされないと判定した場合（ステップＳ７；ＯＦＦ）には、後述のステップＳ２０に移行する。なお、本実施の形態においては、試験片９に検体が供給されて当該試験片９における検体移動方向Ｋの下流側の端部まで検体が移動した後、つまりコントロールライン９３ｂに色素標識抗体が結合した後に、測定開始スイッチ１１ｂがＯＮにされる。但し、コントロールライン９３ｂに色素標識抗体が結合した後に、試験片９が挿入口１０に挿入されることとしても良い。検体の滴下からコントロールライン９３ｂに色素標識抗体が結合するまでの時間は、一般に検体の滴下から１０分程度である。
【００５４】
また、測定開始スイッチ１１ｂがＯＮにされたと判定した場合（ステップＳ７；ＯＮ）には、制御部７は、モータ６１が初期位置にあるか否かを判定し（ステップＳ１１）、初期位置に無いと判定した場合（ステップＳ１１；ＮＧ）には、ディスプレイ１２にエラーメッセージを表示させた後（ステップＳ１９）、後述のステップＳ２０に移行する。
【００５５】
また、ステップＳ１１においてモータ６１が初期位置にあると判定した場合（ステップＳ１１；ＯＫ）には、制御部７は、試験片９が挿入口１０から挿入されてセットされているか否かを判定し（ステップＳ１２）、セットされていないと判定した場合（ステップＳ１２；無）には、上述のステップＳ１９に移行する。
【００５６】
また、ステップＳ１２において試験片９が挿入口１０から挿入されてセットされていると判定した場合（ステップＳ１２；有）には、制御部７は、予備走査を行うための予備走査処理を行う（ステップＳ１３）。ここで、予備走査とは、走査装置６によって複数回行われる走査のうち初回に行われる走査であり、試験片９上でのコントロールライン９３ｂの位置や幅、コントロールライン９３ｂに対してラインセンサ４で受光される光量などを検出するための走査である。
【００５７】
具体的には、図５に示すように、この予備走査処理においてまず制御部７は、モータ６１を駆動して試験片９を１ステップ分だけ走査方向Ｘに移動させる（ステップＴ１）。より具体的には、このとき制御部７は、照射光Ｓによる試験片９の被照射領域が当該試験片９の検体移動方向Ｋにおける下流端の側から上流端の側に向かって移動するよう試験片９を走査方向Ｘに移動させる。ここで、１ステップ分の移動量としては、走査方向Ｘにおけるコントロールライン９３ｂの幅より小さい所定の移動量が予め設定されている。これにより、確実にコントロールライン９３ｂに照射光Ｓを照射することができる。
【００５８】
次に、制御部７は、光源２を点灯させて光を照射させた後（ステップＴ２）、ラインセンサ４から各画素での受光信号のデータを取得して（ステップＴ３）、光源２を消灯させる（ステップＴ４）。
【００５９】
そして、制御部７は、走査方向Ｘにおいてコントロールライン９３ｂの全域が検出されたか否かを判定し（ステップＴ５）、検出されていないと判定した場合（ステップＴ５；ＮＧ）には上述のステップＴ１に移行する一方、検出されたと判定した場合（ステップＴ５；ＯＫ）には、予備走査処理を終了する。なお、このステップＴ５において制御部７は、所定の閾値以上に明るい領域が検知された場合には、その位置がコントロールライン９３ｂであると判断し、一旦、閾値以上に明るい領域が検知された後、暗い領域が検知された場合には、その位置がコントロールライン９３ｂの境界部分であると判断する。
【００６０】
以上の予備走査処理が終了したら、図４に示すように、次に制御部７は、予備走査処理で検知されたコントロールライン９３ｂの位置に基づいて、テストライン９３ａの位置を算出して特定するとともに、コントロールライン９３ｂでの光量に基づいて、光源２のパワーを変更し、テストライン９３ａの検知に用いる閾値を変更した後（ステップＳ１４）、本走査を行うための本走査処理を行う（ステップＳ１５）。ここで、本走査とは、走査装置６によって複数回行われる走査のうち２回目以降に行われる走査であり、テストライン９３ａにおける分析対象物の状態（本実施の形態においては分析対象物の濃度）を検知するための走査である。
【００６１】
具体的には、図６に示すように、この本走査処理においてまず制御部７は、特定されたテストライン９３ａの位置に基づいて、走査方向Ｘにおいて当該位置の直前にモータ６１を移動させた後（ステップＵ１）、１回の走査において行うべきステップ数を決定する（ステップＵ２）。具体的には、このステップＵ２において制御部７は、走査方向Ｘにおけるテストライン９３ａの幅を１ステップ当たりの移動量で割ることにより、ステップ数を算出する。ここで、１ステップ分の移動量としては、走査方向Ｘにおけるテストライン９３ａの幅より小さい所定の移動量が予め設定されている。これにより、確実にテストライン９３ａに照射光Ｓを照射し、当該テストライン９３ａにおける分析対象物の状態を検知することができる。
【００６２】
次に、制御部７は、１ステップ分だけモータ６１を駆動させる（ステップＵ３）。
次に、制御部７は、光源２を点灯させて光を照射させた後（ステップＵ４）、ラインセンサ４から各画素での受光信号のデータを取得して（ステップＵ５）、光源２を消灯させる（ステップＵ６）。これにより、走査装置６が本走査を行っている場合には、照射光Ｓによる試験片９の照射スポットがテストライン９３ａと、当該テストライン９３ａの近傍とに位置するタイミングのみで光源２から光が出射される。このように照射光Ｓによる試験片９の照射スポットがテストライン９３ａと、当該テストライン９３ａの近傍とに位置するタイミングのみで光源が光を出射することにより、エネルギーのロスが防止されるとともに、試験片９が過度な光の照射によって退色などの悪影響を受けてしまうのが防止される。
【００６３】
なお、このとき、走査装置６による走査対象物（試験片９）の走査方向Ｘはラインセンサ４の長手方向Ｙと交差しており、当該長手方向Ｙと、試験片９に対する照射光Ｓの中心軸Ｊｓと、試験片９からの検出対象光Ｔの中心軸Ｊｔとは同一平面上に存在するので、図７に示すように、試験片９の寸法のバラツキや走査時におけるガタツキなどによって試験片９の厚み方向（図中の上下方向）に被照射位置が変化する場合であっても、試験片９上の被照射位置がラインセンサ４の長手方向Ｙにずれ、試験片９での検出対象光Ｔが確実にラインセンサ４に当たる。従って、試験片９の厚み方向に被照射位置が変化する場合であっても、正確な分析が行われることとなる。
【００６４】
また、検出対象光Ｔの中心軸Ｊｔの軸方向と、検知ライン方向Ｚとを含む平面に対してラインセンサ４の長手方向Ｙが略平行であるので、この平面に対してラインセンサ４の長手方向Ｙが交差する場合と異なり、検知対象領域９３の検知ライン方向Ｚの各位置で生じる検出対象光Ｔを、ラインセンサ４の長手方向Ｙの各画素に当てることが可能となる。従って、試験片９上で液状検体が目詰まりを起こして分析対象物が局所的に散在する場合であっても、正確な分析が行われることとなる。
【００６５】
また、ラインセンサ４の長手方向Ｙと、試験片９における検知ライン方向Ｚ（検知対象領域９３の延在方向）とは略平行であるので、両者が平行で無い場合と異なり、図８に示すように、検出光学系５における像側，物側の焦点面にラインセンサ４，検知対象領域９３を一致させて配置することが可能となる。従って、試験片９と、ラインセンサ４の各画素とにそれぞれフォーカスを合わせた状態で試験片９からの検出対象光Ｔをラインセンサ４に受光させることが可能となるため、検知対象領域９３の各位置における分析対象物の状態が精度良くラインセンサ４で検出されることとなる。なお、図８では、バンドパスフィルター５１の図示を省略している。
【００６６】
また、照射光Ｓは略平行光であるので、照射光Ｓによる試験片９の照射スポット内で照度が容易に均一化される。また、試験片９における被照射位置が照射光Ｓの中心軸に沿ってずれる場合であっても、照射スポット内での照度分布の変化が防止されることとなる。また、照射光Ｓは検知ライン方向Ｚ（帯状の検知対象領域９３の延在方向）に断面が長尺であるので、バックノイズや迷光の影響が緩和され、効率よく分析が行われることとなる。
【００６７】
また、照射光Ｓは短尺方向でのスポットサイズをd（ｍｍ）、検出光学系５の横倍率を−M（但し、M>０）、ラインセンサ４の短手方向のサイズをｔ（ｍｍ）とした場合に、40>dM/t>3を満足するので、dM/t≦3の場合と異なり、ラインセンサ４上での受光領域が小さくなってしまうのが防止され、照射光学系３と検出光学系５との光軸アライメントが容易化される。また、ラインセンサ４上での受光領域が小さくなってしまうのを防止することが可能となるため、装置の経時劣化や温度特性に起因して照射光学系３と検出光学系５との光軸ずれが生じる場合であっても、ラインセンサ４上での受光光量が減少して分析対象物の状態検知に支障をきたすのを防止することが可能となる。例えば、ラインセンサ４における短手方向の画素サイズtをｔ＝0.06mm、光学系の倍率MをM＝1、照明スポットの短辺方向のサイズｄをd=0.2mmとしたとき、つまりdM/t=3.3としたときには、ラインセンサ４上の結像スポットでの受光強度分布は、図９（ａ）に示すような状態となる。ここで、図中の太線は短手方向におけるラインセンサ４を表す。この図によれば、10μｍの光軸アライメント誤差が生じた場合であっても、ラインセンサ４の面内で受光する光量の最小値（受光強度分布のグラフと太線（ラインセンサ４）との交点の強度）の変化をおよそ10％程度の低下に抑えられることが分かる。
また、40≦dM/tの場合と異なり、試験片９における照明スポットが大きくなり過ぎて分析対象物の状態検知に不要な光が多くなってしまうのを防止することが可能となるため、不要光によるフレアが防止されるとともに、試験片９が不要光の照射によって退色などの悪影響を受けてしまうのを防止することが可能となる。なお、ラインセンサ４における短手方向の画素サイズtをt=0.06mm、光学系の倍率MをM＝1、照明スポットの短辺方向のサイズdをd=2.2mmとしたとき、つまりdM/t=36.7としたときには、図９（ｂ）に示すように、ラインセンサ４上の結像スポットでの受光強度分布は均一になるため、ラインセンサ４の光軸アライメントが多少ズレた場合であっても、ラインセンサ４の面内で受光する光量の変化は少ない。
【００６８】
そして、上記のステップＳ６の次に制御部７は、ステップＵ２で決定したステップ数だけモータ６１の駆動を行ったか否か、つまりテストライン９３ａの幅を超える分だけ試験片９の移動を行ったか否かを判定し（ステップＵ７）、行っていないと判定した場合（ステップＵ７；未満）には上述のステップＵ３に移行する一方、行ったと判定した場合（ステップＵ７；終了）には本走査処理を終了する。
【００６９】
以上の本走査処理が終了したら、図４に示すように、次に制御部７は、走査装置６による各回の走査時にラインセンサ４から得られる出力信号に基づいて、分析対象物の濃度を算出する演算を行った後（ステップＳ１６）、その結果をディスプレイ１２に表示させる（ステップＳ１７）。
【００７０】
より詳細には、このステップＳ１６において制御部７は、ラインセンサ４における各画素のうち、検出光学系５を介して検出対象光Ｔを受光した領域内の画素による出力の和に基づいて、分析対象物の濃度を算出する。
このようにステップＳ１６でラインセンサ４における各画素のうち、検出光学系５を介して検出対象光Ｔを受光した領域内の画素による出力の和に基づいて分析対象物の濃度を算出することにより、ラインセンサ４の画素ごとに異なる量で発生するノイズの影響を低減し、分析対象物の濃度を正確に算出することができる。また、試験片９上で液状検体が目詰まりを起こして分析対象物が局所的に散在する場合であっても、分析対象物の濃度を確実に算出することができる。なお、ラインセンサ４における各画素のうち、検出対象光Ｔを受光した領域内の画素としては、例えば所定の閾値を越える出力信号を出力する画素を用いることができる。
【００７１】
また、このステップＳ１６において制御部７は、検出光学系５における周辺光量の低下分を補正して分析対象物の濃度を算出する。例えば、検出光学系５がコサイン４乗則に準ずる光量低下を示す場合には、各画素での検出光量を（cosθ）4で除算して濃度計算を行う。ここで、θは検出光学系５における主光線がラインセンサ４に入射する角度である。このように検出光学系５における周辺光量の低下分を補正して分析対象物の濃度を算出することにより、検出光学系５の周辺領域を通過する検出対象光Ｔからであっても、分析対象物の濃度を正確に算出することができる。
また、このステップＳ１６では、例えば複数回の出力信号を合算して分析対象物の状態を特定することが好ましい。この場合には、各走査時での出力信号に含まれるランダムノイズの影響を低減し、いっそう正確な分析を行うことができる。
【００７２】
次に、制御部７は、排出スイッチ１１ｄがＯＮに操作されるか否かを判定し（ステップＳ２０）、ＯＮに操作されないと判定した場合（ステップＳ２０；ＯＦＦ）には、後述のステップＳ２２に移行する。
【００７３】
また、ステップＳ２０において排出スイッチ１１ｄがＯＮに操作されたと判定した場合（ステップＳ２０；ＯＮ）には、制御部７は、挿入口１０から試験片９を排出させた後（ステップＳ２１）、プリントスイッチ１１ｃがＯＮに操作されるか否かを判定する（ステップＳ２２）。
【００７４】
このステップＳ２２においてプリントスイッチ１１ｃがＯＮに操作されないと判定した場合（ステップＳ２２；ＯＦＦ）には、制御部７は、パワースイッチ１１ａがＯＮになっているか否かを判定し（ステップＳ２６）、なっていないと判定した場合（ステップＳ２６；ＯＦＦ）には、上述のステップＳ４に移行する一方、ＯＮになっていると判定した場合（ステップＳ２６；ＯＮ）には上述のステップＳ６に移行する。
【００７５】
また、上述のステップＳ２２においてプリントスイッチ１１ｃがＯＮに操作されたと判定した場合（ステップＳ２２；ＯＮ）には、制御部７は、試験片９について測定（分析）を行っているか否かを判定し（ステップＳ２３）、行っていると判定した場合（ステップＳ２３；Ｙｅｓ）には測定結果をプリンタ部１３にプリントさせた後（ステップＳ２４）、上述のステップＳ２６に移行する。
【００７６】
また、ステップＳ２３において測定を行っていないと判定した場合（ステップＳ２３；Ｎｏ）にはディスプレイ１２にエラーメッセージを表示させた後（ステップＳ２５）、上述のステップＳ２６に移行する。
【００７７】
以上のように、本実施形態によれば、試験片９に対して検体が供給されてコントロールライン９３ｂに色素標識抗体が結合してから、予備走査（コントロールライン９３ｂの位置を検出するための走査）が行われ、検出されたコントロールライン９３ｂの位置に基づいてテストライン９３ａの位置が算出された後、本走査（テストライン９３ａにおける分析対象物の状態を検知するための走査）が行われるので、検体の供給前には呈色していないコントロールライン９３ｂを、テストライン９３ａの位置算出の基準位置として用いることができる。
そして、コントロールライン９３ｂはテストライン９３ａと共に同一の塗布装置にてメンブレンシート９６上に塗布されることで５０μｍ以内の位置精度が確保できるように設けられているため、試験片９のケースに位置決め用のマークを設ける場合と異なり、テストライン９３ａの位置を正確に算出することができる。そのため、テストライン９３ａの位置検出ミスが生じることで分析対象物が存在しないと誤認識してしまうのを防止することができる。
また、位置決め用の新たなマークをメンブレンシート９６上に設ける必要がないため、メンブレンシート９６内での毛細管現象や抗原抗体反応が阻害されてしまうのを防止することができる。
また、検体中に分析対象物が存在しない場合であってもコントロールライン９３ｂの位置からテストライン９３ａの位置を正確に算出することができるため、テストライン９３ａ以外の余分な範囲を本走査する手間を省き、検出時間を短縮することができる。
【００７８】
また、試験片９は走査方向Ｘ（検体移動方向Ｋ）に長尺で、コントロールライン９３ｂをテストライン９３ａよりも検体移動方向Ｋの下流側に有しており、照射光Ｓによる試験片９の被照射領域が当該試験片９における下流端から上流端の側に向かって移動するよう走査装置６が予備走査を行うので、上流端から下流端の側に向かって予備走査を行う場合と比較して、コントロールライン９３ｂの検出までの時間を短縮することができる。
また、予備走査の後に行われる本走査でも同様に検体移動方向Ｋの下流側から上流側に走査を行うので、コントロールライン９３ｂの側からテストライン９３ａについて本走査を行うことができる。従って、本走査を上流端から下流端に行う場合と比較して、テストライン９３ａの検出までの時間を短縮することができる。
【００７９】
また、試験片９の照射スポットの走査方向Ｘでのスポットサイズ「ｄ」（ｍｍ）は、テストライン９３ａと、コントロールライン９３ｂとの間隔未満となっているので、コントロールライン９３ｂの検出時にテストライン９３ａに照射光Ｓが照射されたり、テストライン９３ａの検出時にコントロールライン９３ｂに照射光Ｓが照射されたりするのを防止することができる。従って、テストライン９３ａやコントロールライン９３ｂが過度な光の照射によって褪色などの悪影響を受けてしまうのを防ぐことができる。
【００８０】
なお、本発明を適用可能な実施形態は、上述した実施形態に限定されることなく、本発明の趣旨を逸脱しない範囲で適宜変更可能である。
【００８１】
例えば、上記の実施形態においては、走査方向Ｘと、ラインセンサ４の長手方向Ｙとが交差することとして説明したが、平行であることとしても良い。また、長手方向Ｙと、試験片９に対する照射光Ｓの中心軸Ｊｓと、試験片９からの検出対象光Ｔの中心軸Ｊｔとは同一平面上に存在することとして説明したが、同一平面上に存在しないこととしても良い。
また、ラインセンサ４の長手方向Ｙと、検知対象領域９３の検知ライン方向Ｚとは略平行であることとして説明したが、図１０に示すように、平行でないこととしても良い。ここで、ラインセンサ４を検知ライン方向Ｚに対して平行ではなく配設するには他の手法を用いてもよく、例えば図３で示した検出光学系５においてレンズ５０とバンドパスフィルター５１との間にミラーやダイクロイックミラー、ダイクロイックプリズムなどの光学素子を配置し、この光学素子で検出対象光Ｔを屈曲させることで、ラインセンサ４の長手方向Ｙと、検知対象領域９３の検知ライン方向Ｚとを非平行としても良い。なお、ダイクロイックミラーやダイクロイックプリズムを配置する場合には、この光学素子によってバンドパスフィルター５１の機能を兼ねることができるため、バンドパスフィルター５１を省略しても良い。
【００８２】
また、照射光学系３はレンズ３２で集光した収束光を照射光Ｓとして出射することとして説明したが、平行光を照射光Ｓとして出射することとしても良い。この場合には、レンズ３２を省くことができるため、装置全体を低コスト化することができる。
【００８３】
また、バンドパスフィルター３１をレンズ３０，３２の間、バンドパスフィルター５１をレンズ５０，５２の間に配設されることとして説明したが、バンドパスフィルター３１，５１に対しておよそ垂直（例えば８０度〜１００度）に光が入射する限りにおいて、他の位置に配設されることとしても良い。
【００８４】
また、レンズ３０，５０をコリメータレンズとし、レンズ３１，５１を集光レンズとして説明したが、図１１に示すように、他の機能を有するレンズ、例えばシリンドリカルレンズ等としても良い。ここで、図１１は、照射光学系３の代わりに配設される照射光学系３Ａを図示している。但し、この図では、バンドパスフィルター３１及びアパーチャ３３の図示を省略している。この照射光学系３Ａは、レンズ３２の代わりにシリンドリカルレンズ３２Ａを有している。シリンドリカルレンズ３２Ａは、レンズ３０から出射される平行光のうち、走査方向Ｘにおける中心部分のみを自身に入射させつつ走査方向Ｘに集光して照射光Ｓを出射することにより、照射光Ｓによる試験片９の照射スポットのうち、検出光学系５によって受光されうる領域内で照度を均一とするようになっている。ここで、照度が均一であるとは、最小ピークと最大ピークの光量差が小さいことを言い、例えば光量の最小値が最大値の５０％以上であることを言う。この照射光学系３Ａによれば、照射光Ｓは試験片９の照射スポット内で照度が均一であるので、試験片９の厚み方向において被照射位置が変化してラインセンサ４での受光位置が当該ラインセンサ４の中心からずれる場合であっても、受光した画素からの出力の変化を低減することができる。従って、照射スポット内での照度分布にガウス分布のような特性がある場合と異なり、被照射位置の変化に応じてラインセンサ４からの出力値を補正する必要がないため、制御部７での処理を簡素化することができる。なお、照射光Ｓによる試験片９の照射スポットのうち、検出光学系５によって受光されうる領域内で照度を均一とするには他の手法を用いても良く、例えばケーラー照明や、フライアイインテグレーター、ロッドインテグレーターなどの光学系を照射光学系３に適用しても良い。ここで、ケーラー照明の光学系を照射光学系３に適用する場合には、光源２をＬＥＤとしても良い。
【００８５】
また、予備走査においては照射光Ｓによる試験片９の被照射領域が当該試験片９の検体移動方向Ｋにおける下流端の側から上流端の側に向かって移動するよう試験片９を走査方向Ｘに移動させることとして説明したが、照射光Ｓによる試験片９の被照射領域が当該試験片９におけるコントロールライン９３ｂよりも上流端の側から下流端の側に向かって移動するよう、より好ましくはコントロールライン９３ｂが存在すると推定される領域よりも僅かに上流側の位置から下流側に向かって移動するよう、試験片９を走査方向Ｘに移動させることとしても良い。この場合には、試験片９における検体の上流側から下流側に向かって被照射領域が移動するよう予備走査が行われることとなる。従って、コントロールライン９３ｂに対して十分に色素標識抗体が供給されず、上流側から下流側に向かって呈色の度合いが小さくなる場合であっても、コントロールライン９３の上流端、つまり最も明確に呈色する部分を検出することができるため、正確にコントロールライン９３ｂの位置を検出することができる。
同様に、本走査においても、試験片９における検体移動方向Ｋの上流側から下流側に向かって被照射領域が移動するよう試験片９を走査させることとしても良い。この場合には、分析対象物の量が少ない場合、つまり、テストライン９３ａに分析対象物と色素標識抗体との複合体が十分に供給されず、上流側から下流側に向かって呈色の度合いが小さくなる場合であっても、テストライン９３ａの上流端、つまり最も明確に呈色する部分を検出することができるため、正確にテストライン９３ａの位置を検出することができる。
【００８６】
また、本発明における受光センサをラインセンサ４として説明したが、フォトダイオードやエリアセンサなど、他の形状の受光センサとしても良い。
【符号の説明】
【００８７】
１        クロマトグラフィー分析装置
２        光源
３        照射光学系
４        ラインセンサ
５        検出光学系
６        走査手段
７        制御部
９３ａ    テストライン
９３ｂ    コントロールライン
Ｓ        照射光
Ｔ        検出対象光
【図１】
0005664386.tif 000002
【図２】
0005664386.tif 000003
【図３】
0005664386.tif 000004
【図４】
0005664386.tif 000005
【図５】
0005664386.tif 000006
【図６】
0005664386.tif 000007
【図７】
0005664386.tif 000008
【図８】
0005664386.tif 000009
【図９】
0005664386.tif 000010
【図１０】
0005664386.tif 000011
【図１１】
0005664386.tif 000012